(57)【要約】      （修正有）【課題】ドア部を回動させることにより前面パネルに備える孔を開閉する電子機器において、ドア部を閉鎖した場合に前面パネルとドア部との間に段差が生じてしまうことを防止すると共に、容易にドア部を開くことができる電子機器を提供する。【解決手段】電子回路と、電子回路を内部に固定する筐体と、筐体の前面に固定され前後に貫通する孔３０１を備える前面パネル３と、水平方向に配設されたシャフト５０１を備え前面パネルの後面に固着されるフランジ５と、下部に後方に突出する凸部４０２を備えシャフトに軸支されシャフトを軸に回動することにより孔を開閉するドア部４と、ドア部の後方への回動を抑止するストッパー部３０２とを備え、ドア部は、パネルの孔を閉鎖したとき凸部の内部に前方から後方に亘って下方に傾斜する傾斜部を底面に備える空洞部４０３と、空洞部の内部に水平方向に配設され傾斜部の上面を自在に転がる円筒部４０５とを備える。【選択図】図２
2008066683.tif 000002
【特許請求の範囲】
【請求項１】
電子回路と、箱形であり前記電子回路を内部に固定する筐体と、前記筐体の前面に固定され前後に貫通する孔を備える前面パネルと、水平方向に配設されたシャフトを備え前記前面パネルの後面に固着されるフランジと、下部に後方に突出する凸部を備え前記シャフトに軸支され前記シャフトを軸に回動することにより前記孔を開閉するドア部と、前記ドア部の後方への回動を抑止するストッパー部とを備え、
前記ドア部は、前記前面パネルの前記孔を閉鎖したとき前記凸部の内部に前方から後方に亘って下方に傾斜する傾斜部を底面に備える空洞部と、前記空洞部の内部に水平方向に配設され前記傾斜部の上面を自在に転がる円筒部とを備えることを特徴とする電子機器。
【請求項２】
請求項１記載の電子機器において、
前記空洞部は、後方部分が上方に開口し前後方向の長さが前記円筒部の外径よりも長く前記円筒部を前記空洞部の内部から取り出しまたは前記空洞部の内部に挿入する孔を備えることを特徴とする電子機器。
【請求項３】
請求項１記載の電子機器において、
前記ドア部は、前記空洞部の前方部分及び後方部分にそれぞれ連通し当該空洞部の上方に湾曲した曲面部を備え前記円筒部が自在に転がる湾曲空洞部を備えることを特徴とする電子機器。
【発明の詳細な説明】
【技術分野】
【０００１】
本発明は、オーディオ信号を増幅するオーディオ信号増幅装置や光ディスクを再生する再生装置等の電子機器に関する。
【背景技術】
【０００２】
従来の電子機器として、オーディオ信号増幅装置を例に挙げ説明する。
従来のオーディオ信号増幅装置としては、扉開閉装置を備え、扉を開くと当該扉の後方に配設されたオーディオ信号の増幅度を変化させるボリュームや操作キーから成る操作部が露出し、操作部の操作が可能となり、当該ドアを閉鎖すると、操作部に外部からの塵埃や水滴が付着することを防止する構成を有するものが知られている（例えば、非特許文献１参照。）。
【０００３】
図１１は、従来のオーディオ信号増幅装置の一例を示す斜視図である。
オーディオ信号増幅装置１００は、筐体２、前面パネル３、増幅部７、操作部８、ドア部４００、図示しない入力部及び出力部を備える。
【０００４】
筐体２は、箱形であり、内部に増幅部７を備える。前面パネル３は、筐体２の前面に固定される。前面パネル３は、前後に貫通する孔３０１を備える。操作部８は、筐体２に固定され、孔３０１の後方に配置される。ドア部４００は、前面パネル３の後面に固定された後述するフランジにより軸支され、回動することによって、孔３０１を開閉する。
【０００５】
操作部８は、ドア部４００を回動させ、孔３０１を開口することにより露出する。操作部８は、複数の操作ボタン８０１及びボリュウム部８０２を備える。
【０００６】
オーディオ信号増幅装置１００は、図示しない導電ケーブルにより再生装置及びスピーカと接続されている。
【０００７】
再生装置は、光ディスクに記録されているオーディオ信号を再生する。オーディオ信号増幅装置１００の入力部は、再生装置から出力されたオーディオ信号を入力し増幅部７に出力する。
【０００８】
ボリュウム部８０１は、増幅部７によるオーディオ信号の信号レベルの増幅度を増減させる。増幅部７は、ボリュウム部８０１の指示に応じてオーディオ信号を増幅し、出力部に出力する。出力部は、増幅部７から出力されたオーディオ信号をスピーカへ出力する。
【０００９】
以上により、オーディオ信号増幅装置１００は、再生装置から出力されたオーディオ信号を増幅し、スピーカへ出力する。
【００１０】
図１２は、オーディオ信号増幅装置１００の前面パネル３とドア部４００の構成を示す後方斜視図である。なお、図１２に示す前面パネル３及びドア部４００は、矢印Ａ方向を前方とする。
ドア部４００は、押し出し成型により形成された断面がＬ字型のアルミ材であり、下部に後方に突出する凸部４０２を備える。ドア部４００は、下部に水平方向に貫通する孔４０１を備える。
【００１１】
前面パネル３は、押し出し成型により形成されたアルミ材であり、上部及び下部が後方に突出した薄いコの字形を形成し、２つのフランジ５及びストッパー部３０２を備える。ストッパー部３０２は、Ｌ字型であり、前面パネル３の後面の孔３０１の上部に固着される。２つのフランジ５は、それぞれシャフト５０１を備え、それぞれのシャフト５０１が互いに向い合った位置で孔３０１の左右部分に接着剤により固着される。
【００１２】
ドア部４００は、孔４０１にシャフト５０１が挿入されることによりシャフト５０１に軸支され、シャフト５０１を軸として自在に回動する。ドア部４００は、シャフト５０１を軸に回動することにより、前面パネル３の孔３０１を開閉する。
【００１３】
図１３は、オーディオ信号増幅装置１００の前面パネル３とドア部４００を示す図で、図１３（ａ）はドア部４００が前面パネル３の孔３０１を閉鎖した状態を示す断面図、図１３（ｂ）は、図１３（ａ）の状態からドア部４００を回動させた様子を示す断面図、図１３（ｃ）は、図１３（ｂ）の状態から孔３０１が開口した状態を示す断面図である。
ストッパー部３０２は、前面パネル３の孔３０１が開口した状態から孔３０１を閉鎖する方向にドア部４００を回動させた場合、前面パネル３の前面が垂直であって前面パネル３の前面とドア部４００の前面とが略同一面となったとき、ドア部４００の後面と当接する位置に配設される。ドア部４００は、前面パネル３の前面が垂直であって前面が前面パネル３の前面と略同一面となったとき、水平方向の重心の位置がシャフト５０１の軸から後方に距離Ｃの位置となるものとする。
【００１４】
図１３（ａ）に示すように、ドア部４００は、前面パネル３の前面が垂直であって前面が前面パネル３の前面と略同一面のとき、重心がシャフト５０１の軸から後方に距離Ｃの位置であることから、シャフト５０１を軸として後方に回動しようとする力が作用するが、上部がストッパー部３０２によって後方への回動が抑止されていることから、前面が前面パネル３の前面と略同一面となった回転角度でストッパー部３０２に保持された状態となる。これにより、ドア部４００は、その前面が前面パネル３の前面と略同一面となった回転角度で前面パネル３の孔３０１を閉じた状態を保持する。
【００１５】
ドア部４００が閉じた状態からドア部４００を開く場合は、前面パネル３の前方からドア部４００の孔４０１より下方となる部分を、図１３（ｂ）に示すように、ドア部４００の水平方向の重心の位置がシャフト５０１の軸と同一となる回転角度Ｄを超える角度まで、指先等で後方（矢印方向）に押圧する。ドア部４００は、孔４０１より下方となる部分が指先等で後方に押圧されることによって、シャフト５０１を軸として前方に回動し、水平方向の重心の位置がシャフト５０１の軸と同一となる回転角度Ｄを超える角度まで前方に回動すると、水平方向の重心の位置がシャフト５０１の軸より前方に移動する。ドア部４００は、水平方向の重心の位置がシャフト５０１より前方の位置となることによって、自ら前方に回転しようとする力が作用し、シャフト５０１を軸に自ら前方に回動する。そして、ドア部４００は、図１３（ｃ）に示すように、前面が前面パネル３の孔３０１の下端に当接する位置まで回動し、前面パネル３の孔３０１を開口する。
【００１６】
ドア部４００が開いた状態からドア部４００を閉じる場合は、図１３（ｂ）に示すように、ドア部４００の水平方向の重心の位置がシャフト５０１の軸と同一となる回転角度Ｄを超える角度までドア部４００を後方に回動させる。ドア部４００は、水平方向の重心の位置がシャフト５０１の軸と同一となる回転角度Ｄを超える角度まで後方に回動すると、水平方向の重心の位置がシャフト５０１の軸より後方に移動する。ドア部４００は、水平方向の重心の位置がシャフト５０１より後方の位置となることによって、自ら後方に回転しようとする力が作用し、シャフト５０１を軸に自ら後方に回動する。そして、ドア部４００は、図１３（ａ）に示すように、前面パネル３の後面がストッパー部３０２に当接する位置まで回動し、前面パネル３の孔３０１を閉じる。
【００１７】
以上により、オーディオ信号増幅装置１００は、ドア部４００が前面パネル３の前面と略同一面の状態では、ドア部４００の後方への回動をストッパー部３０２が抑止することによって、ドア部４００が孔３０１を閉じた状態が保持され、ドア部４００を前方に回動させると、ドア部４００の前方への回動を孔３０１の下端が抑止することによって、ドア部４００が孔３０１を開いた状態が保持される。
【００１８】
【非特許文献１】“オーディオ＆ビジュアル製品・ＡＶサラウンドアンプ”、[online]、[平成１８年２月２７日検索]、インターネット〈URL : http://denon.jp/products2/avca1xv.html 〉
【発明の開示】
【発明が解決しようとする課題】
【００１９】
図１４は、従来のオーディオ信号増幅装置１００の前面パネル３とドア部４００を示す断面図である。
非特許文献１に開示されているような、開閉扉を回動軸で軸支する構成の場合は、回動軸の外周部分と当該回動軸に軸支された開閉扉の部分との間に埃等が付着することによって回動軸の外周部分と当該回動軸に軸支された開閉扉の部分との間の摩擦力が増大することがある。つまり、図１２及び図１３（ａ）〜図１３（ｃ）で説明したオーディオ信号増幅装置１００のようなシャフト５０１を軸にドア部４００を回動させることによって孔３０１を開閉する構成の場合、シャフト５０１の外周部分または孔４０１の内壁部分に埃等が付着してシャフト５０１の外周部分と孔４０１の内壁部分との間の摩擦力が増大することがある。
一方、シャフト５０１を軸にドア部４００を回動させることによって孔３０１を開閉する構成の場合は、ドア部４００の前面が垂直であるときのドア部４００の水平方向の重心の位置がシャフト５０１の軸から後方に遠くなるのに伴ってドア部４００が後方に回動しようとする力が大きくなり、また、ドア部４００の前面が垂直であるときのドア部４００の水平方向の重心の位置がシャフト５０１の軸から後方から近くなるのに伴ってドア部４００が後方に回動しようとする力が小さくなる。
【００２０】
このため、ドア部４００の前面が垂直であってドア部４００の前面が前面パネル３の前面と略同一面となる場合のドア部４００の水平方向の重心の位置がシャフト５０１の軸から後方に近い距離の場合は、図１３（ｂ）に示すように、孔３０１をドア部４００によって閉じようとしてドア部４００の水平方向の重心の位置がシャフト５０１の軸と同一となる回転角度Ｄを超える角度までドア部４００を後方に回動させても、ドア部４００が自ら後方に回動しようとする力よりもシャフト５０１の外周部分と孔４０１の内壁部分との間に作用する摩擦力が増大すると、図１４に示すように、前面パネル３の前面とドア部４００の前面が同一面とならない状態でドア部４００の回動が停止してしまい、ドア部４００の上方の前端部分と前面パネル３の前面との間に距離Ｅの段差が生じてしまう。
【００２１】
前面パネル３の孔３０１をドア部４００によって閉鎖した状態の場合、ドア部４００の上方の前端部分と前面パネル３の前面との間に段差が生じてしまうと、オーディオ信号増幅装置１００の美観が損なわれてしまう。また、ドア部４００の上方の前端部分と前面パネル３の前面との段差が大きくなると、ドア部４００の上端と孔３０１の上端との間に隙間が生じ、当該隙間から侵入した塵埃や水滴から前面パネル３の後方に配設された操作ボタン８０１やボリュウム部８０２を保護することができなくなる。
【００２２】
このように、ドア部４００を後方に回動させた場合に、シャフト５０１の外周部分と孔４０１の内壁部分との間に作用する摩擦力が増大することによって前面パネル３の前面とドア部４の前面が同一面とならない状態でドア部４００の回動が停止してしまうことを防止するためには、図１３（ｂ）に示すように、ドア部４００の水平方向の重心の位置がシャフト５０１の軸と同一となった回転角度からドア部４００が後方へ回動しようとする力をシャフト５０１の外周部分と孔４０１の内壁部分との間に作用する摩擦力よりも常に大きくする必要がある。ドア部４００の水平方向の重心の位置がシャフト５０１の軸と同一となった回転角度からドア部４００が後方へ回動しようとする力を増大させるためには、前述したように、ドア部４００の前面が垂直である場合のドア部４００の水平方向の重心の位置をシャフト５０１の軸から後方に遠くする必要がある。
【００２３】
図１５は、オーディオ信号増幅装置１００の前面パネル３とドア部４００を示す図で、図１５（ａ）はドア部４００が前面パネル３の孔３０１を閉鎖した状態を示す断面図、図１５（ｂ）は、図１５（ａ）の状態からドア部４００を前方に回動させて孔３０１を開口しようとする様子を示す断面図である。
【００２４】
ドア部４００の前面が垂直である場合のドア部４００の水平方向の重心の位置をシャフト５０１の軸から後方に遠くするには、例えば、図１５（ａ）に示すように、凸部４０２の後方部分にドア部４００より比重の大きな重り４０６を備える構成とすれば、シャフト５０１の軸からドア部４００の水平方向の重心の位置までの距離Ｆを、図１３（ａ）に示すような重り４０６を備えないドア部４００のシャフト５０１の軸からドア部４００の水平方向の重心の位置までの距離Ｃより大きくすることができる。このことにより、シャフト５０１の外周部分と孔４０１の内壁部分との間の摩擦力が増大しても、前面パネル３の前面とドア部４の前面が同一面とならない状態でドア部４００の回動が停止してしまうことを防止することができる。
【００２５】
しかしながら、図１５（ａ）に示すように凸部４０２の後方部分に重り４０６を備える構成とすると、ドア部４００が孔３０１を閉じた状態からドア部４００が孔３０１を開いた状態となるまでにドア部４００を押圧し続けなければならない力が増大してしまう。つまり、図１５（ｂ）に示すように、ドア部４００の前面が垂直である場合のドア部４００の水平方向の重心の位置をシャフト５０１の軸から後方に遠くなると、ドア部４００の水平方向の重心の位置がシャフト５０１の軸と同一となる回転角度Ｇが、図１３（ｂ）に示すように、ドア部４００の前面が垂直である場合のドア部４００の水平方向の重心の位置がシャフト５０１の軸から近い場合のドア部４００の水平方向の重心の位置がシャフト５０１の軸と同一となる回転角度Ｄよりも大きくなる。このため、使用者は、ドア部４００が自ら前方に回動し始める回転角度Ｄを越える角度となるまで、ドア部４００の下端部分を後方に押圧し続けなければならず、ドア部４００を開くための作業が煩わしいものとなる。
【００２６】
本発明は、ドア部を回動させることにより前面パネルに備える孔を開閉する電子機器において、ドア部を閉鎖した場合に前面パネルとドア部との間に段差が生じてしまうことを防止すると共に、容易にドア部を開くことができる電子機器を提供することを目的とする。
【課題を解決するための手段】
【００２７】
本願の請求項１記載の発明は、電子機器において、電子回路と、箱形であり前記電子回路を内部に固定する筐体と、前記筐体の前面に固定され前後に貫通する孔を備える前面パネルと、水平方向に配設されたシャフトを備え前記前面パネルの後面に固着されるフランジと、下部に後方に突出する凸部を備え前記シャフトに軸支され前記シャフトを軸に回動することにより前記孔を開閉するドア部と、前記ドア部の後方への回動を抑止するストッパー部とを備え、前記ドア部は、前記前面パネルの前記孔を閉鎖したとき前記凸部の内部に前方から後方に亘って下方に傾斜する傾斜部を底面に備える空洞部と、前記空洞部の内部に水平方向に配設され前記傾斜部の上面を自在に転がる円筒部とを備えることを特徴とする。
【００２８】
本願の請求項２記載の発明は、請求項１記載の電子機器において、前記空洞部は、後方部分が上方に開口し前後方向の長さが前記円筒部の外径よりも長く前記円筒部を前記空洞部の内部から取り出しまたは前記空洞部の内部に挿入する孔を備えることを特徴とする。
【００２９】
本願の請求項３記載の発明は、請求項１記載の電子機器において、前記ドア部は、前記空洞部の前方部分及び後方部分にそれぞれ連通し当該空洞部の上方に湾曲した曲面部を備え前記円筒部が自在に転がる湾曲空洞部を備えることを特徴とする。
【発明の効果】
【００３０】
本発明によれば、ドア部を回動させることにより前面パネルに備える孔を開閉する電子機器において、ドア部を閉鎖した場合に前面パネルとドア部との間に段差が生じてしまうことを防止すると共に、容易にドア部を開くことができる電子機器を提供することができる。
【００３１】
また、本発明によれば、ドア部が回動するシャフトの外周部分とシャフトを軸支する孔の内壁部分との間に埃が蓄積して摩擦力が増大してしまった場合でも、前面パネルの前面とドア部の前面が同一面とならない状態でドア部の回動が停止してしまうことを防止することができる電子機器を提供することができる。
【発明を実施するための最良の形態】
【００３２】
本発明の実施の形態を図面を参照して説明する。なお、従来技術で示した構成要素と同一の部分については同符号を用いる。
【００３３】
本実施例においては、電子機器としてオーディオ信号増幅装置を例に挙げ説明する。
図１は、本発明の第１実施例のオーディオデータ増幅装置を示す斜視図である。
オーディオ信号増幅装置１は、筐体２、前面パネル３、ドア部４、増幅部７、操作部８、図示しない入力部及び出力部を備える。
【００３４】
筐体２は、箱形であり、内部に増幅部７を備える。前面パネル３は、筐体２の前面に固定される。前面パネル３は、前後に貫通する孔３０１を備える。操作部８は、筐体２に固定され、孔３０１の後方に配置される。ドア部４は、前面パネル３の後面に固定された後述するフランジにより軸支され、回動することによって、孔３０１を開閉する。
【００３５】
操作部８は、ドア部４を回動させ、孔３０１を開口することにより露出する。操作部８は、複数の操作ボタン８０１及びボリュウム部８０２を備える。
【００３６】
オーディオ信号増幅装置１は、図示しない導電ケーブルにより再生装置及びスピーカと接続されている。
【００３７】
再生装置は、光ディスクに記録されているオーディオ信号を再生する。オーディオ信号増幅装置１の入力部は、再生装置から出力されたオーディオ信号を入力し増幅部７に出力する。
【００３８】
ボリュウム部８０１は、増幅部７によるオーディオ信号の信号レベルの増幅度を増減させる。増幅部７は、ボリュウム部８０１の指示に応じてオーディオ信号を増幅し、出力部に出力する。出力部は、増幅部７から出力されたオーディオ信号をスピーカへ出力する。
【００３９】
以上により、オーディオ信号増幅装置１は、再生装置から出力されたオーディオ信号を増幅し、スピーカへ出力する。
【００４０】
図２は、本発明の第１実施例のオーディオ信号増幅装置１の前面パネル３とドア部４の構成を示す後方斜視図である。なお、図２に示す前面パネル３及びドア部４は、矢印Ａ方向を前方とする。
ドア部４は、押し出し成型により形成された断面がＬ字型のアルミ材であり、下部に後方に突出する凸部４０２を備える。凸部４０２は、左右方向に開口した空洞部４０３を備える。ドア部４は、円筒部４０５及び２つの蓋部６を備える。円筒部４０５は、細長い円筒型であり、空洞部４０３の右側または左側から空洞部４０３の内部に挿入される。２つの蓋部６は、それぞれ接着剤によって空洞部４０３の右側部分及び左側部分に固定され、円筒部４０５が空洞部４０３の左右から飛び出さないよう空洞部４０３の両端を塞ぐ。
【００４１】
前面パネル３は、押し出し成型により形成されたアルミ材であり、上部及び下部が後方に突出した薄いコの字形を形成し、２つのフランジ５及びストッパー部３０２を備える。ストッパー部３０２は、Ｌ字型であり、前面パネル３の後面の孔３０１の上部に固着される。２つのフランジ５は、それぞれシャフト５０１を備え、それぞれのシャフト５０１が互いに向い合った位置で孔３０１の左右部分に接着剤により固着される。
【００４２】
ドア部４は、孔４０１にシャフト５０１が挿入されることによりシャフト５０１に軸支され、シャフト５０１を軸として自在に回動する。ドア部４は、シャフト５０１を軸に回動することにより、前面パネル３の孔３０１を開閉する。
【００４３】
図３は、本発明の第１実施例のオーディオ信号増幅装置１のドア部４が前面パネル３の孔３０１を閉鎖した状態を示す断面図である。
ストッパー部３０２は、前面パネル３の孔３０１が開口した状態から孔３０１を閉鎖する方向にドア部４を回動させた場合、前面パネル３の前面が垂直であって前面パネル３の前面とドア部４の前面とが略同一面となったとき、ドア部４の後面と当接する位置に配設される。
【００４４】
空洞部４０３は、ドア部４の表面が垂直であって前面が前面パネル３の前面と略同一面となった状態のとき、底面に前方から後方に亘って下方に傾斜した平面である傾斜部４０４を備える。傾斜部４０４は、前方から後方に亘って水平方向に対して角度Ｅだけ下方に傾斜しているものとする。円筒部４０５は、ドア部４の表面が垂直であるとき、傾斜部４０４が前方から後方に亘って傾斜していることにより、傾斜部４０４の上面を後方に転がり、空洞部４０３の後端部分に配設された状態となる。ドア部４は、前面が垂直であって、かつ、円筒部４０５が空洞部４０３の後端部分に配設されているとき、水平方向の重心の位置がシャフト５０１の軸から後方に距離Ｂの位置となるものとする。
【００４５】
図３に示すように、ドア部４は、前面パネル３の前面が垂直であって、かつ、円筒部４０５が空洞部４０３の後端部分に配設されている状態のとき、重心がシャフト５０１の軸から後方に距離Ｂの位置であることから、シャフト５０１を軸として後方に回動しようとする力が作用するが、上部がストッパー部３０２によって後方への回動が抑止されていることから、前面が前面パネル３の前面と略同一面となった回転角度でストッパー部３０２に保持された状態となる。これにより、ドア部４は、前面が前面パネル３の前面と略同一面となった回転角度で前面パネル３の孔３０１を閉じた状態を保持する。
【００４６】
図４は、本発明の第１実施例のオーディオ信号増幅装置１の前面パネル３とドア部４を示す図で、図４（ａ）は、図３の状態からドア部４を前方に回動させた様子を示す断面図、図４（ｂ）は、図４（ａ）の状態から孔３０１が開口した状態を示す断面図である。
ドア部４が閉じた状態からドア部４を開く場合は、前面パネル３の前方からドア部４の孔４０１より下方となる部分を、図４（ａ）に示すように、空洞部４０３の傾斜部４０４が前方から後方に亘って上方に傾斜する角度、つまり、図３に示す角度Ｅを超える角度となるまで、指先等で後方に押圧する。
【００４７】
空洞部４０３の傾斜部４０４が、図３に示す角度Ｅを超える角度まで前方に回動すると、傾斜部４０４は、前方から後方に亘って上方に傾斜した状態となる。円筒部４０５は、傾斜部４０４が前方から後方に亘って上方に傾斜することによって、空洞部４０３の前端部分まで傾斜部４０４の上面を前方に転がる。ドア部４は、円筒部４０５が空洞部４０３の前端部分まで転がることにより、水平方向の重心の位置がシャフト５０１の軸より前方に移動する。ドア部４は、水平方向の重心の位置がシャフト５０１より前方の位置となることによって、自ら前方に回転しようとする力が作用し、シャフト５０１を軸に自ら前方に回動する。そして、ドア部４は、図４（ｂ）に示すように、前面が前面パネル３の孔３０１の下端に当接する位置まで回動し、前面パネル３の孔３０１を開口する。
【００４８】
以上の構成により、本発明の第１実施例のオーディオ信号増幅装置１は、ドア部４の表面が垂直であるとき、傾斜部４０４が前方から後方に亘って角度Ｅだけ下方に傾斜していることにより、円筒部４０５が空洞部４０３の後端部分に配設され、水平方向の重心の位置がシャフト５０１の軸から後方に距離Ｂの位置となるが、空洞部４０３の傾斜部４０４が角度Ｅを超える角度となるまでドア部４を前方に回動することによって、円筒部４０５が空洞部４０３の前端部分まで傾斜部４０４の上面を前方に転がり、ドア部４の水平方向の重心の位置がシャフト５０１より前方の位置となり、この後は、ドア部４に自ら前方に回転しようとする力が作用することから、ドア部４がシャフト５０１を軸に自ら前方に回動し、前面パネル３の孔３０１を開口する。
【００４９】
このことにより、本発明の第１実施例のオーディオ信号増幅装置１は、前面パネル３の孔３０１をドア部４によって閉鎖した状態の場合、円筒部４０５が空洞部４０３の後端部分に配設することにより、ドア部４が後方へ回動しようとする力を増大させることができ、シャフト５０１の外周部分と孔４０１の内壁部分との間の摩擦力が増大しても、前面パネル３の前面とドア部４の前面が同一面とならない状態でドア部４の回動が停止してしまうことを防止することができる。
【００５０】
また、本発明の第１実施例のオーディオ信号増幅装置１は、ドア部４を回動させて孔３０１を開く場合は、ドア部４を前方に角度Ｅを超える角度だけ回動させるのみで、円筒部４０５が空洞部４０３の前端部分まで転がってドア部４の水平方向の重心の位置がシャフト５０１より前方の位置となり、その後はドア部４がシャフト５０１を軸に自ら前方に回転して前面パネル３の孔３０１が開口するので、使用者は、従来のオーディオ信号増幅装置より容易にドア部４を開くことができる。
【００５１】
次に、本発明の一実施例のオーディオ信号増幅装置の第２実施例について説明する。
第２実施例におけるオーディオ信号増幅装置は、ドア部の構成以外は、第１実施例の構成と同じであるため、詳細な説明は省略する。
【００５２】
図５は、本発明の第２実施例のオーディオ信号増幅装置１の前面パネル３とドア部４０の構成を示す後方斜視図である。なお、図５に示す前面パネル３及びドア部４０は、矢印Ａ方向を前方とする。
【００５３】
ドア部４０は、第１実施例と同様に、押し出し成型により形成された断面がＬ字型のアルミ材であり、下部に後方に突出する凸部４０２を備える。凸部４０２は、左右方向に開口した空洞部４０３を備える。また、凸部４０２は、この空洞部４０３の後方部分に上方に開口する孔４０７を備える。
【００５４】
ドア部４０は、第１実施例と同様に、円筒部４０５及び２つの蓋部６を備える。円筒部４０５は、細長い円筒型を成す。孔４０７の前後方向の長さは、円筒部４０５の外径よりも長い。円筒部４０５は、孔４０７を介して空洞部４０３の内部に挿入される。２つの蓋部６は、それぞれ接着剤によって空洞部４０３の右側部分及び左側部分に固定され、円筒部４０５が空洞部４０３の左右から飛び出さないよう空洞部４０３の両端を塞ぐ。
【００５５】
前面パネル３、フランジ５及びストッパー部３０２の構成は、第１実施例で説明した構成と同一であるため説明を省略する。ドア部４０は、第１実施例と同様に、シャフト５０１が孔４０１に挿入されることにより、シャフト５０１を軸に回動することにより、前面パネル３の孔３０１を開閉する。
【００５６】
図６は、本発明の第２実施例のオーディオ信号増幅装置１のドア部４０が前面パネル３の孔３０１を閉鎖した状態を示す断面図である。
空洞部４０３は、第１実施例と同様に、ドア部４０の表面が垂直であって前面が前面パネル３の前面と略同一面となった状態のとき、底面に前方から後方に亘って下方に傾斜した平面である傾斜部４０４を備える。傾斜部４０４は、第１実施例と同様に、前方から後方に亘って水平方向に対して角度Ｅだけ下方に傾斜しているものとする。円筒部４０５は、第１実施例と同様に、ドア部４０の表面が垂直であるとき、傾斜部４０４が前方から後方に亘って傾斜していることにより、傾斜部４０４の上面を後方に転がり、空洞部４０３の後端部分に配設された状態となる。ドア部４０は、第１実施例と同様に、前面が垂直であって、かつ、円筒部４０５が空洞部４０３の後端部分に配設されているとき、水平方向の重心の位置がシャフト５０１の軸から後方に距離Ｂの位置となるものとする。
【００５７】
図７は、本発明の第２実施例のオーディオ信号増幅装置１の前面パネル３とドア部４０を示す図で、図７（ａ）は、図６の状態からドア部４０を前方に回動させた様子を示す断面図、図７（ｂ）は、図７（ａ）の状態から孔３０１が開口した状態を示す断面図である。
ドア部４０が閉じた状態からドア部４０を開く場合は、第１実施例と同様に、前面パネル３の前方からドア部４０の孔４０１より下方となる部分を、図７（ａ）に示すように、空洞部４０３の傾斜部４０４が前方から後方に亘って上方に傾斜する角度、つまり、図６に示す角度Ｅを超える角度となるまで、指先等で後方に押圧する。
【００５８】
空洞部４０３の傾斜部４０４が、図６に示す角度Ｅを超える角度まで前方に回動すると、傾斜部４０４は、前方から後方に亘って上方に傾斜した状態となり、円筒部４０５は、傾斜部４０４が前方から後方に亘って上方に傾斜することによって、空洞部４０３の前端部分まで傾斜部４０４の上面を前方に転がる。ドア部４０は、円筒部４０５が空洞部４０３の前端部分まで転がることにより、水平方向の重心の位置がシャフト５０１の軸より前方に移動し、自ら前方に回転しようとする力が作用し、シャフト５０１を軸に自ら前方に回動する。そして、ドア部４０は、図７（ｂ）に示すように、前面が前面パネル３の孔３０１の下端に当接する位置まで回動し、前面パネル３の孔３０１を開口する。この過程において、孔４０７は、空洞部４０３の後方部分に上方に開口しているので、ドア部４０を前方に回動させたり後方に回動させた場合であっても空洞部４０３から飛び出すことがない。
【００５９】
図８は、本発明の第２実施例のオーディオ信号増幅装置１の前面パネル３とドア部４０を示す図で、図８（ａ）は空洞部４０３の内部に備える円筒部４０５を他の円筒部４０８に交換する様子を示す断面図、図８（ｂ）は図８（ａ）の状態からドア部４０が前面パネル３の孔３０１を閉鎖した状態を示す断面図である。
【００６０】
本発明の第２実施例のオーディオ信号増幅装置１は、凸部４０２の空洞部４０３の後方部分に孔４０７を備えていることにより、図８（ａ）に示すように、この孔４０７から空洞部４０３の内部に備える円筒部４０５をピンセットなどで摘まんで持ち上げることにより容易に取り出すことが可能となる。ここで、例えば、図８（ａ）に示すように、空洞部４０３に備える円筒部４０５を取り出して、この円筒部４０５と同一形状であって円筒部４０５よりも比重が高い他の円筒部４０８、例えば、円筒部４０５がアルミ部材によって形成されている場合は、このアルミ部材よりも比重が高い鋼鉄部材を孔４０７から空洞部４０３の内部に挿入する。
【００６１】
すると、図８（ｂ）に示すように、ドア部４０の前面が垂直であって、かつ、円筒部４０８が空洞部４０３の後端部分に配設されているときの水平方向の重心の位置は、シャフト５０１の軸から後方に距離Ｈの位置となり、図６に示すように、円筒部４０５を空洞部４０３の内部に挿入した状態の場合においての、ドア部４０の前面が垂直であって、円筒部４０５が空洞部４０３の後端部分に配設されているときの水平方向の重心の位置であるシャフト５０１の軸から後方に距離Ｂの位置よりも後方の位置となる。
【００６２】
これにより、例えば、図６に示すように、空洞部４０３の内部に円筒部４０５を備えた状態の場合に、シャフト５０１と孔４０１の間に埃が次第に蓄積してシャフト５０１の外周部分と孔４０１の内壁部分との間の摩擦力が増大してしまい、ドア部４０を後方に回動し、途中からドア部４０が自ら後方に回動しようとしても前面パネル３の前面とドア部４０の前面が同一面とならない状態でドア部４０の回動が停止する状態になった場合は、空洞部４０３に備える円筒部４０５を円筒部４０５よりも比重の高い部材である他の円筒部４０８に交換する。このことによって、ドア部４０の前面が垂直である場合の水平方向の重心の位置が後方に移動し、この結果、ドア部４０が自ら後方に回動しようとする力を増大させることができるので、シャフト５０１の外周部分と孔４０１の内壁部分との間の摩擦力が増大した場合でも、前面パネル３の前面とドア部４０の前面が同一面とならない状態でドア部４０の回動が停止してしまうことを防止することができる。
【００６３】
以上のように、本発明の第２実施例のオーディオ信号増幅装置１は、空洞部４０３の内部に備える円筒部を簡単に比重の高い他の円筒部に交換することができるので、シャフト５０１の外周部分と孔４０１の内壁部分との間の摩擦力が増大してしまった場合でも、前面パネル３の前面とドア部４０の前面が同一面とならない状態でドア部４０の回動が停止してしまうことを防止することができる。
【００６４】
次に、本発明の一実施例のオーディオ信号増幅装置の第３実施例について説明する。
第３実施例におけるオーディオ信号増幅装置は、ドア部の構成以外は、第１実施例の構成と同じであるため、詳細な説明は省略する。
【００６５】
図９は、本発明の第３実施例のオーディオ信号増幅装置１のドア部が前面パネル３の孔３０１を閉鎖した状態を示す断面図である。
【００６６】
前面パネル３及びストッパー部３０２の構成は、第１実施例で説明した構成と同一であるため説明を省略する。ドア部４１は、第１実施例と同様に、押し出し成型により形成された断面がＬ字型のアルミ材であり、下部に後方に突出する凸部４０２を備える。ドア部４１は、第１実施例と同様に、シャフト５０１が孔４０１に挿入されることにより、シャフト５０１を軸に回動することにより、前面パネル３の孔３０１を開閉する。
【００６７】
凸部４０２は、ドア部４１の左右方向に開口した空洞部４０３を備える。凸部４０２は、ドア部４１の表面が垂直であるとき、空洞部４０３の前方部分に当該空洞部４０３と連通し、上方に湾曲した曲面部４０９を底面に備える湾曲空洞部４１１を備える。また、凸部４０２は、空洞部４０３の後方部分に当該空洞部４０３と連通し、空洞部４０３の上方に湾曲した曲面部４０９を備える湾曲空洞部４１２を備える。
【００６８】
ドア部４１は、第１実施例と同様に、円筒部４０５を備える。空洞部４０３、湾曲空洞部４１１及び湾曲空洞部４１２の高さはそれぞれ円筒部４０５の外径より高い。円筒部４０５は、空洞部４０３の内部に挿入され、傾斜部４０４の上面、曲面部４０９の上面及び曲面部４１０の上面を自在に転がる。空洞部４０３、湾曲空洞部４１１及び湾曲空洞部４１２の右側部分及び左側部分には第１実施例と同様に図示しない蓋部を備え、円筒部４０５が空洞部４０３、湾曲空洞部４１１及び湾曲空洞部４１２の左右から飛び出さないよう空洞部４０３の両端を塞ぐ。
【００６９】
空洞部４０３は、第１実施例と同様に、ドア部４１の表面が垂直であるとき、底面に前方から後方に亘って下方に傾斜した平面である傾斜部４０４を備える。傾斜部４０４は、第１実施例と同様に、前方から後方に亘って水平方向に対して角度Ｅだけ下方に傾斜している。
【００７０】
円筒部４０５は、ドア部４１の表面が垂直であるとき、傾斜部４０４が前方から後方に亘って傾斜していることにより、傾斜部４０４の上面を後方に転がり、湾曲空洞部４１２の曲面部４１０の前方部分で停止した状態となることから、空洞部４０３の後端と湾曲空洞部４１２の前端の境部分に配設された状態となる。ドア部４１は、前面が垂直であって、かつ、円筒部４０５が空洞部４０３の後端部分に配設されているとき、水平方向の重心の位置がシャフト５０１の軸から後方に距離Ｂの位置となるものとする。
【００７１】
図１０は、本発明の第３実施例のオーディオ信号増幅装置１の前面パネル３とドア部４１を示す図で、図１０（ａ）は、図９の状態からドア部４１を前方に回動させた様子を示す断面図、図１０（ｂ）は、図１０（ａ）の状態から孔３０１が開口した状態を示す断面図である。
ドア部４１が閉じた状態からドア部４１を開く場合は、第１実施例と同様に、前面パネル３の前方からドア部４１の孔４０１より下方となる部分を、図１０（ａ）に示すように、空洞部４０３の傾斜部４０４が前方から後方に亘って上方に傾斜する角度、つまり、図９に示す角度Ｅを超える角度となるまで、指先等で後方に押圧する。
【００７２】
空洞部４０３の傾斜部４０４が、図９に示す角度Ｅを超える角度まで前方に回動すると、傾斜部４０４は、前方から後方に亘って上方に傾斜した状態となり、円筒部４０５は、傾斜部４０４が前方から後方に亘って上方に傾斜することによって、傾斜部４０４の上面を前方に転がる。ドア部４１は、円筒部４０５が傾斜部４０４の上面を前方に転がることにより、水平方向の重心の位置がシャフト５０１の軸より前方に移動し、自ら前方に回転しようとする力が作用し、シャフト５０１を軸に自ら前方に回動する。そして、ドア部４１は、図１０（ｂ）に示すように、前面が前面パネル３の孔３０１の下端に当接する位置まで回動し、前面パネル３の孔３０１を開口する。この過程において、空洞部４０３の前方部分に連通した湾曲空洞部４１１の底面である曲面部４０９が上方に湾曲していることにより、傾斜部４０４の上面を前方に転がった円筒部４０５は曲面部４０９を転がっている途中で回転力が抑止され、図１０（ｂ）に示すように、曲面部４０９の途中で停止した状態となる。
【００７３】
このように、本発明の第３実施例のオーディオ信号増幅装置１は、円筒部４０５が傾斜部４０４の上面を前方に転がり、ドア部４１の水平方向の重心の位置が前方に移動することによって、シャフト５０１を軸にドア部４１が自ら前方に回動した場合、傾斜部４０４の上面を前方に転がっていた円筒部４０５が、曲面部４０９の途中で停止するので、第１実施例において説明した図４（ｂ）に示すように、傾斜部４０４の上面を前方に転がっていた円筒部４０５が空洞部４０３の前端に衝突してしまうことを防止することができる。このため、第１実施例において説明した図４（ｂ）に示すように、ドア部４１を前方に開口する過程において、傾斜部４０４の上面を前方に転がった円筒部４０５が空洞部４０３の前端に衝突して衝突音が発生し、この衝突音によってオーディオ信号増幅装置１の品位が損なわれてしまうことを防止することができる。
【００７４】
また、湾曲空洞部４１１は、図１０（ｂ）に示すように、ドア部４１を前方に回動させて開口した状態では、空洞部４０３よりも前方の位置で湾曲した状態となる。このため、本発明の第３実施例のオーディオ信号増幅装置１は、ドア部４１が前方に回動した場合、傾斜部４０４の上面を前方に転がった円筒部４０５は、曲面部４０９の途中の位置で停止した状態となるので、第１実施例において説明した図４（ｂ）に示すように、円筒部４０５が空洞部４０３の前端の位置で停止した状態よりもドア部４１の水平方向の重心を更に前方にすることができる。この結果、ドア部４１が自ら前方に回動しようとする力を増大させることができるので、シャフト５０１の外周部分と孔４０１の内壁部分との間の摩擦力が増大した場合でも、ドア部４１が完全に開かない状態でドア部４１の前方への回動が停止してしまうことを防止することができる。
【００７５】
また、本発明の第３実施例のオーディオ信号増幅装置１は、空洞部４０３の後方部分に当該空洞部４０３と連通し、上方に湾曲した曲面部４０９を底面に備える湾曲空洞部４１２を備えることにより、図１０（ｂ）に示すようにドア部４１が開いている状態からドア部４１を後方に回動させ、図９に示すようにドア部４１を閉鎖した状態とする場合、ドア部４１の表面が垂直となった状態では傾斜部４０４が前方から後方に亘って下方に傾斜していることから、円筒部４０５が傾斜部４０４の上面を後方に転がるが、空洞部４０３の後方部分に連通した湾曲空洞部４１２の底面である曲面部４１０が上方に湾曲していることにより、傾斜部４０４の上面を後方に転がった円筒部４０５は曲面部４１０の途中で回転力が抑止され、図９に示すように、曲面部４１０の途中の位置で停止した状態となる。
【００７６】
このように、本発明の第３実施例のオーディオ信号増幅装置１は、ドア部４１が開口している状態からドア部４１を後方に回動させてドア部４１を閉鎖した状態とする場合、傾斜部４０４の上面を後方に転がった円筒部４０５が、曲面部４１０の途中の位置で停止するので、第１実施例において説明した図３に示すように、傾斜部４０４の上面を後方に転がった円筒部４０５が、空洞部４０３の後端に衝突してしまうことを防止することができる。このため、第１実施例において説明した図３に示すように、ドア部４１を閉鎖する過程において、傾斜部４０４の上面を後方に転がった円筒部４０５が空洞部４０３の後端に衝突して衝突音が発生し、この衝突音によってオーディオ信号増幅装置１の品位が損なわれてしまうことを防止することができる。
【図面の簡単な説明】
【００７７】
【図１】本発明の第１実施例のオーディオデータ増幅装置を示す斜視図。
【図２】本発明の第１実施例のオーディオ信号増幅装置１の前面パネル３とドア部４の構成を示す後方斜視図。
【図３】本発明の第１実施例のオーディオ信号増幅装置１のドア部４が前面パネル３の孔３０１を閉鎖した状態を示す断面図。
【図４】本発明の第１実施例のオーディオ信号増幅装置１の前面パネル３とドア部４を示す図で、図４（ａ）は、図３の状態からドア部４を前方に回動させた様子を示す断面図、図４（ｂ）は、図４（ａ）の状態から孔３０１が開口した状態を示す断面図。
【図５】本発明の第２実施例のオーディオ信号増幅装置１の前面パネル３とドア部４０の構成を示す後方斜視図。
【図６】本発明の第２実施例のオーディオ信号増幅装置１のドア部４０が前面パネル３の孔３０１を閉鎖した状態を示す断面図。
【図７】本発明の第２実施例のオーディオ信号増幅装置１の前面パネル３とドア部４０を示す図で、図７（ａ）は、図６の状態からドア部４０を前方に回動させた様子を示す断面図、図７（ｂ）は、図７（ａ）の状態から孔３０１が開口した状態を示す断面図。
【図８】本発明の第２実施例のオーディオ信号増幅装置１の前面パネル３とドア部４０を示す図で、図８（ａ）は、空洞部４０３の内部に備える円筒部４０５を他の円筒部４０８に交換する様子を示す断面図、図８（ｂ）は図８（ａ）の状態からドア部４０が前面パネル３の孔３０１を閉鎖した状態を示す断面図。
【図９】本発明の第３実施例のオーディオ信号増幅装置１のドア部が前面パネル３の孔３０１を閉鎖した状態を示す断面図。
【図１０】本発明の第３実施例のオーディオ信号増幅装置１の前面パネル３とドア部４１を示す図で、図１０（ａ）は、図９の状態からドア部４１を前方に回動させた様子を示す断面図、図１０（ｂ）は、図１０（ａ）の状態から孔３０１が開口した状態を示す断面図。
【図１１】従来のオーディオ信号増幅装置の一例を示す斜視図。
【図１２】オーディオ信号増幅装置１００の前面パネル３とドア部４００の構成を示す後方斜視図。
【図１３】オーディオ信号増幅装置１００の前面パネル３とドア部４００を示す図で、図１３（ａ）はドア部４００が前面パネル３の孔３０１を閉鎖した状態を示す断面図、図１３（ｂ）は、図１３（ａ）の状態からドア部４００を回動させた様子を示す断面図、図１３（ｃ）は、図１３（ｂ）の状態から孔３０１が開口した状態を示す断面図。
【図１４】オーディオ信号増幅装置１００の前面パネル３とドア部４００を示す断面図。
【図１５】オーディオ信号増幅装置１００の前面パネル３とドア部４００を示す図で、図１５（ａ）はドア部４００が前面パネル３の孔３０１を閉鎖した状態を示す断面図、図１５（ｂ）は、図１５（ａ）の状態からドア部４００を前方に回動させて孔３０１を開口しようとする様子を示す断面図。
【符号の説明】
【００７８】
１  オーディオ信号増幅装置、２  筐体、
３  前面パネル、３０１  孔、３０２  ストッパー部、４  ドア部、４０  ドア部、
４０１  孔、４０２  凸部、４０３  空洞部、４０４  傾斜部、４０５  円筒部、
４０７  孔、４０８  円筒部、４１  ドア部、
４０９  曲面部、４１０  曲面部、４１１  湾曲空洞部、４１２  湾曲空洞部、
５  フランジ、５０１  シャフト、６  蓋部、７  増幅部、
８  操作部、８０１  操作ボタン、８０２  ボリュウム部、
１００  オーディオ信号増幅装置、４００  ドア部、４０６  重り
【図１】
2008066683.tif 000003
【図２】
2008066683.tif 000004
【図３】
2008066683.tif 000005
【図４】
2008066683.tif 000006
【図５】
2008066683.tif 000007
【図６】
2008066683.tif 000008
【図７】
2008066683.tif 000009
【図８】
2008066683.tif 000010
【図９】
2008066683.tif 000011
【図１０】
2008066683.tif 000012
【図１１】
2008066683.tif 000013
【図１２】
2008066683.tif 000014
【図１３】
2008066683.tif 000015
【図１４】
2008066683.tif 000016
【図１５】
2008066683.tif 000017